(57)【特許請求の範囲】
【請求項１】
一方の端面に、軸方向に突設された締結部を備えたピニオンシャフトと、前記締結部が挿入され前記ピニオンシャフトの端部に固定されたキャリアと、前記締結部を挿入して前記キャリアの一部分を前記ピニオンシャフトに固定する固定部材と、を含んで構成され、
前記キャリアには、前記キャリアの内周面に沿って連続的に形成され、内周面から中心軸方向に向かって突出し、前記ピニオンシャフトと前記固定部材との間に挿入される突出部が設けられ、
前記ピニオンシャフトの前記締結部と隣接する前記一方の端面に突起が突設され、前記突起が挿入される突起溝が、前記突出部の前記ピニオンシャフトと対向する面に形成されることを特徴とするピニオンシャフト及びキャリアを含む遊星ギヤセット。
【請求項２】
前記突起は、前記ピニオンシャフトの前記一方の端面に、前記ピニオンシャフトの中心軸を中心とした円に沿って断続的に形成されることを特徴とする請求項１に記載のピニオンシャフト及びキャリアを含む遊星ギヤセット。
【請求項３】
前記ピニオンシャフトの前記一方の端面に、前記締結部と隣接して突起溝が形成され、前記突出部の前記ピニオンシャフトと対向する面に突起が前記突起溝に対応するように突設されたことを特徴とする請求項１に記載のピニオンシャフト及びキャリアを含む遊星ギヤセット。
【請求項４】
前記固定部材は、ナット形状からなることを特徴とする請求項１に記載のピニオンシャフト及びキャリアを含む遊星ギヤセット。
【請求項５】
前記締結部及び前記固定部材は、互いに螺合されることを特徴とする請求項１に記載のピニオンシャフト及びキャリアを含む遊星ギヤセット。
【発明の詳細な説明】
【技術分野】
【０００１】
本発明は、ピニオンシャフト及びキャリアを含む遊星ギヤセットに係り、より詳細には、ピニオンシャフト及びキャリアの結合方式が改善された遊星ギヤセットに関する。
【背景技術】
【０００２】
一般に、遊星ギヤセットは、サンギヤと、リングギヤと、ピニオンギヤと、キャリアアセンセンブリーと、を含んで構成される。前記キャリアアセンブリーは、キャリアと、キャリアに固定されるピニオンシャフトと、を含む。
ピニオンシャフトをキャリアに固定させてキャリアアセンブリーを形成する方法は多様である。そのうちの代表的な方法は、ピニオンシャフト及びキャリアに各々ホールを加工し、前記ホールの内部に固定ピンを挿入することによって固定する方法である。
【０００３】
図３に従来の遊星ギヤセットの一部断面図を示す。
図３を参照すると、遊星ギヤセット１０は、ピニオンシャフト１２と、ピニオンギヤ１６と、キャリア３０ａ、３０ｂと、を含む。
キャリア３０ａ、３０ｂのそれぞれに、ピニオンシャフト１２の両側端部のそれぞれが挿入され固定されてキャリアアセンブリーが構成される。キャリア３０ａとキャリア３０ｂとの間のピニオンシャフト１２の外周面とピニオンギヤ１６の内周面との間にベアリング３２が配備される。ピニオンギヤ１６は、ピニオンシャフト１２を中心に回転する。
【０００４】
ピニオンシャフト１２の、キャリア３０ｂが固定された側の外側面にはスプライン（ｓｐｌｉｎｅ）２８が形成される。
ピニオンシャフト１２の他端にはキャリア３０ａが固定され、キャリア３０ａを直径方向に貫通して第２ピンホール２２ｂが穿設され、第２ピンホール２２ｂと連通しピニオンシャフト１２を直径方向に貫通して第１ピンホール２２ａが穿設される。
図示したように、第１、２ピンホール２２ａ、２２ｂには固定ピン２０が挿入され、これによって、ピニオンシャフト１２及びキャリア３０ａとピニオンシャフト１２とが互いに結着される。
【０００５】
固定ピン２０をピンホール２２ａ、２２ｂに挿入する時、強制嵌合（圧入）方式を使用するが、このような強制嵌合方式によってピンホール２２ａ、２２ｂに固定ピン２０を挿入するのに困難を伴うことが多い。
そればかりか、固定ピン２０及び前記ピンホール２２ａ、２２ｂの間に残留応力が発生する可能性がある。残留応力が必要以上に大きくなると、固定ピン２０やピンホール２２ａ、２２ｂの周囲の部品の寸法が変化することがある。また、ピニオンシャフト１２及び前記キャリア３０ａを分解する時に、固定ピン２０を抜去するのに困難を伴うことが多い。
【０００６】
【特許文献１】特開２００３−１６６６２０
【発明の開示】
【発明が解決しようとする課題】
【０００７】
本発明の目的は、ピニオンシャフトとキャリアとが強固に結合し、且つ、容易に組み立てたり分解したりできる、ピニオンシャフト及びキャリアを含む遊星ギヤセットを提供することである。
【課題を解決するための手段】
【０００８】
本発明の実施例によるピニオンシャフト及びキャリアを含む遊星ギヤセットは、一方の端面に、軸方向に突設された締結部を備えたピニオンシャフトと、前記締結部が挿入され前記ピニオンシャフトの端部に固定されたキャリアと、前記締結部を挿入して前記キャリアの一部分を前記ピニオンシャフトに固定する固定部材と、を含んで構成され、前記キャリアには、前記キャリアの内周面に沿って連続的に形成され、内周面から中心軸方向に向かって突出し、前記ピニオンシャフトと前記固定部材との間に挿入される突出部が設けられ、前記ピニオンシャフトの前記締結部と隣接する前記一方の端面に突起が突設され、前記突起が挿入される突起溝が、前記突出部の前記ピニオンシャフトと対向する面に形成されることを特徴とする。
【００１０】
また、本発明の実施例では、突起は、ピニオンシャフトの一方の端面に、ピニオンシャフトの中心軸を中心とした円に沿って断続的に形成される。
また、本発明の実施例では、ピニオンシャフトの一方の端面に、締結部と隣接して突起溝が形成され、突出部の前記ピニオンシャフトと対向する面に突起が突起溝に対応するように突設される。
また、本発明の実施例では、固定部材はナット形状からなる。
また、本発明の実施例では、締結部及び固定部材は、互いに螺合され、固定部材は締結部に圧入されることもできる。
【発明の効果】
【００１１】
本発明の実施例によるピニオンシャフト及びキャリアを含む遊星ギヤセットは、ピニオンシャフトの締結部と固定部材とを用いて、ピニオンシャフトとキャリアとを締結するので、容易に組立及び分解することができる。
また、固定部材は、キャリアに設けられた突出部を締結部を備えたピニオンシャフトの一端面に密着させるので、ピニオンシャフト及びキャリアの結合が強固になる。
また、キャリアには突起が挿入される突起溝が形成されるので、ピニオンシャフト及びキャリアの結合が強固になる。
【発明を実施するための最良の形態】
【００１２】
以下、添付した図面を参照して、本発明を、本発明が属する技術分野で通常の知識を有する者が容易に実施することができるように、実施例によって詳細に説明する。しかし、本発明は、ここで説明する実施例に限定されるものではない。
図面では、本発明を明確に説明するために説明に不必要な部分は省略した。
以下、添付した図面を参照して、本発明の実施例によるピニオンシャフト及びキャリアを含む遊星ギヤセットについて詳細に説明する。
【実施例１】
【００１３】
図１は本発明の第１実施例による遊星ギヤセットの一部断面図である。
図１を参照して説明すれば、本発明の遊星ギヤセット１００は、一方の端面に中心軸１０６方向に突設された締結部１１０を備えたピニオンシャフト１１２と、ピニオンシャフト１１２の両側端部を挿入し、互いに対向して配備されたキャリア１３０ａ、１３０ｂと、キャリア１３０ａと１３０ｂとの間で、ピニオンシャフト１１２の外周面に装着されたベアリング１１５と、ベアリング１１５を介してピニオンシャフト１１２に回転自在に軸着されたピニオンギヤ１１６と、を含む。
キャリア１３０ｂ側の外側面にはスプライン（ｓｐｌｉｎｅ）１２８が形成され、キャリア１３０ａ側の外側面にはオイルガイド１２６が形成される。本実施例では、スプライン１２８及びオイルガイド１２６に関する説明は省略する。
【００１４】
図１によって、キャリア１３０ａとピニオンシャフト１１２との結合構造をより詳細に説明する。
ピニオンシャフト１１２のキャリア１３０ａ側の端面を第１面１１４とする。
ピニオンシャフト１１２より径の小さい円筒形の締結部１１０が、第１面１１４の中心に、ピニオンシャフト１１２の中心軸１０６の方向に向けて突設される。内周が締結部１１０に対応するリング状の固定部材１２０が締結部１１０を挿入して配置される。
固定部材１２０の第１面１１４と対向する面を第２面１２２とする。
【００１５】
キャリア１３０ａの内周面にはピニオンシャフト１１２の中心軸１０６の方向に向けて突出部１３２が形成され、突出部１３２は、ピニオンシャフト１１２の第１面１１４と固定部材１２０の第２面１２２との間に挿入される。
好ましい組み立て順序によれば、ピニオンシャフト１１２が備える締結部１１０を、キャリア１３０ａの突出部１３２に挿入し、ついで固定部材１２０に挿入した後に、固定部材１２０によって突出部１３２をピニオンシャフト１１２の第１面１１４に密着させてピニオンシャフト１１２とキャリア１３０ａとを固着する。
【００１６】
固定部材１２０はリング形状からなるのが好ましい。また、キャリア１３０ａは、内周面を有するリング形状からなり、突出部１３２は、キャリア１３０ａの内周面に沿って連続的または断続的に形成される。
【００１７】
図１には、締結部１１０外周面と固定部材１２０内周面とにねじ山１０８を刻設し、締結部１１０と固定部材１２０とを互いに螺合する方式を示した。固定部材１２０を締結部１１０に螺合する方式にすることによって、ピニオンシャフト１１２とキャリア１３０ａとを容易に組立及び分解することができる。
また、締結部１１０を固定部材１２０に挿入する方式とすることもできる。
【実施例２】
【００１８】
図２は本発明の第２実施例による遊星ギヤセット２００の一部分解断面図である。
図２を参照して説明すれば、ピニオンシャフト２１２のキャリア２３０ａ側の端面を第１面２１４とする。
ピニオンシャフト２１２より径の小さい円筒形の締結部２１０が、第１面２１４の中心に、ピニオンシャフト２１２の中心軸２０６の方向に向けて突設される。内周が締結部２１０に対応するリング状の固定部材２２０が締結部２１０を挿入して配置される。
固定部材２２０の第１面２１４と対向する面を第２面２２２とする。
【００１９】
キャリア２３０ａの内周面にはピニオンシャフト２１２の中心軸２０６の方向に突出部２３２が形成され、突出部２３２は、前記ピニオンシャフト２１２の第１面と固定部材２２０の第２面２２２との間に挿入される。
第１面２１４に締結部２１０と隣接するように突起２０２が形成され、突出部２３２の第１面２１４と対向する面には、突起２０２と対応して突起溝２０４が形成される。
【００２０】
好ましい組み立て順序によれば、ピニオンシャフト２１２の締結部２１０をキャリア２３０ａの突出部２１０に挿入し、ピニオンシャフト２１２に形成された突起２０２をキャリア２３０ａに形成された突起溝２０４に挿入し、ついで締結部２１０を固定部材２２０に挿入した後に、固定部材２２０によってピニオンシャフト２１２の第１面２１４に突出部２３２を密着させることによって、ピニオンシャフト２１２とキャリア２３０ａとを固定する。キャリア２３０ａの突出部２３２とピニオンシャフト２１２の第１面２１４とを密着させることによって、突起２０２が突起溝２０４に挿入され、ピニオンシャフト２１２とキャリア２３０ａとの締結が強化される。
【００２１】
本実施例で説明したように、固定部材２２０を締結部２１０に螺着するために、締結部２１０外周面及び固定部材２２０の内周面にはねじ山２０８が形成されるのが好ましい。また、本実施例では、固定部材２２０が両側が開放されたリング形状からなる例を図示したが、一側だけが開放されたカップ形状とすることもできる。
より好ましい実施例として、固定部材２２０をカップ形状として、頭部を４角〜８角のナット形状とすることによって、スパナーなどの工具を使用してピニオンシャフト２１２とキャリア２３０ａとを容易に組立及び分解することができる。
【００２２】
突起２０２は、ピニオンシャフト２１２の第１面２１４に１つまたは複数個形成される。また、突起２０２は、ピニオンシャフト２１２の一方の端面に、ピニオンシャフト２１２の中心軸２０６を中心にする円に沿って一定の間隔で配置されるのが好ましい。
本実施例では、ピニオンシャフト２１２に前記突起２０２が形成され、キャリア２３０ａに突起溝２０４が形成されている例を示したが、ピニオンシャフト２１２に突起溝２０４を形成し、前記キャリア２３０ａに突起２０２を形成することもできる。
【００２３】
図３に示した、キャリア３０ａ及びピニオンシャフト１２を締結するのに、固定ピン２０をピンホール２２ａ、２２ｂに圧入した場合には、固定ピン２０を抜去するのに困難を伴うことが多い。本実施例では、固定部材２２０を除去することによって、キャリア２３０ａ及びピニオンシャフト２１２が容易に分解される。
以上で、本発明の実施例について説明したが、本発明はこれに限定されず、特許請求の範囲、発明の詳細な説明、及び添付した図面の範囲内で多様に変形して実施することが可能であり、これも本発明の範囲に属する。
【図面の簡単な説明】
【００２４】
【図１】本発明の第１実施例による遊星ギヤセットの一部断面図である。
【図２】本発明の第２実施例による遊星ギヤセットの一部分解断面図である。
【図３】従来の遊星ギヤセットの一部断面図である。
【符号の説明】
【００２５】
１００、２００    遊星ギヤセット
１０６、２０６    中心軸
１０８、２０８    ねじ山
１１０、２１０    締結部
１１２、２１２    ピニオンシャフト
１１４、２１４    第１面
１１５    ベアリング
１１６    ピニオンギヤ
１２０、２２０    固定部材
１２２、２２２    第２面
１２６    オイルガイド
１２８    スプライン
１３０ａ、１３０ｂ、２３０ａ、２３０ｂ    キャリア
１３２、２３２    突出部
２０２    突起
２０４    突起溝
【図１】
0005472890.tif 000002
【図２】
0005472890.tif 000003
【図３】
0005472890.tif 000004